(57)【要約】【課題】読み取りミスが発生するのを抑制する。【解決手段】画像読取装置は、搬送読取処理を行う画像読取部と、ジャムが発生するとジョブを中断し、全原稿を再セットするよう促す報知を行わせ、その後、ジョブの実行指示を受け付けると、画像読取部に空送り処理を行わせてから搬送読取処理を行わせる制御部と、予め定められた位置を検知位置とするメディアセンサーと、を備え、制御部は、メディアセンサーから出力される出力値を検知する出力検知を行い、出力検知の結果に基づき得られる原稿情報を記憶し、空送り処理を行わせているとき、原稿情報に基づき、空送り原稿と順番同一原稿とが同じであるか否かを判定し、同じと判定したときには、空送り処理を続行させる一方、異なると判定したときには、空送り処理を停止させる。【選択図】図７
2018019173.tif 000002
【特許請求の範囲】
【請求項１】
原稿セットトレイにセットされた原稿を原稿搬送路に給紙して搬送する原稿搬送ユニットを含み、前記原稿搬送路に沿って搬送されている原稿を読み取る搬送読取処理を行う画像読取部と、
前記搬送読取処理を伴うジョブの実行指示をユーザーから受け付けるとともに、ユーザーに対して報知を行う操作表示部と、
情報を記憶する記憶部と、
前記ジョブの実行中にジャムが発生したとき、前記ジョブを中断し、前記ジョブを中断したときに前記原稿搬送路に沿って搬送されていた原稿よりも前に前記原稿搬送路に給紙された原稿の枚数をリカバリー枚数として前記記憶部に記憶するとともに、前記原稿セットトレイにセットしていた全原稿を同じ順番で再セットするよう促すための報知を前記操作表示部に行わせ、その後、中断した前記ジョブの実行指示を前記操作表示部が受け付けると、前記原稿搬送路への原稿の給紙枚数が前記リカバリー枚数に達するまで、前記原稿搬送路に給紙した原稿を読み取らずに空送りする空送り処理を前記画像読取部に行わせてから、前記搬送読取処理を前記画像読取部に行わせる制御部と、
前記原稿搬送路の予め定められた位置を検知位置とするメディアセンサーと、を備え、
前記制御部は、前記原稿搬送路に給紙される各原稿について、前記検知位置を原稿が通過するときに前記メディアセンサーから出力される出力値を検知する出力検知を行い、前記出力検知の結果に基づき得られる原稿情報に原稿の給紙順を付加して前記記憶部に記憶し、
前記制御部は、前記画像読取部に前記空送り処理を行わせているとき、前記空送り処理によって空送りされている空送り原稿の前記原稿情報および前記ジョブの中断前に前記空送り原稿と同じ給紙順で前記原稿搬送路に給紙された順番同一原稿の前記原稿情報に基づき、前記空送り原稿と前記順番同一原稿とが同じであるか否かを判定する原稿判定処理を行い、前記空送り原稿と前記順番同一原稿とが同じと判定したときには、前記空送り処理を続行させる一方、前記空送り原稿と前記順番同一原稿とが異なると判定したときには、前記空送り処理を停止させ、前記操作表示部に警告を報知させることを特徴とする画像読取装置。
【請求項２】
前記記憶部は、予め定めた複数のレベルのうちから前記出力検知時の前記メディアセンサーの出力値に対応するレベルを特定するための情報であり、前記複数のレベルにそれぞれ対応する前記メディアセンサーの出力値の出力範囲を予め定めた情報であるレベル情報を記憶し、
前記制御部は、前記出力検知を行うとき、前記レベル情報で示される前記複数のレベルのうち前記出力検知時の前記メディアセンサーの出力値に対応するレベルを前記原稿情報として前記記憶部に記憶することを特徴とする請求項１に記載の画像読取装置。
【請求項３】
前記制御部は、前記空送り原稿の前記原稿情報で示される前記レベルと前記順番同一原稿の前記原稿情報で示される前記レベルとを比較する比較処理を前記原稿判定処理として行い、
前記制御部は、前記空送り原稿の前記原稿情報で示される前記レベルと前記順番同一原稿の前記原稿情報で示される前記レベルとが同じとき、前記空送り原稿と前記順番同一原稿とが同じと判定することを特徴とする請求項２に記載の画像読取装置。
【請求項４】
前記制御部は、前記空送り原稿の前記原稿情報で示される前記レベルと前記順番同一原稿の前記原稿情報で示される前記レベルとが異なるとき、前記空送り原稿と前記順番同一原稿とが異なると判定することを特徴とする請求項３に記載の画像読取装置。
【請求項５】
前記制御部は、前記空送り原稿の前記原稿情報で示される前記レベルと前記順番同一原稿の前記原稿情報で示される前記レベルとが異なるとき、前記空送り原稿の前記原稿情報で示される前記レベルと前記順番同一原稿の前記原稿情報で示される前記レベルとのレベル値の差が所定値以下であれば、所定条件を満たすか否かの判断を行い、前記所定条件を満たす場合には、前記空送り原稿と前記順番同一原稿とが同じと判定する一方、前記所定条件を満たさない場合には、前記空送り原稿と前記順番同一原稿とが異なると判定し、
前記制御部は、前回行った前記原稿判定処理において、前記空送り原稿の前記原稿情報で示される前記レベルと前記順番同一原稿の前記原稿情報で示される前記レベルとが同じであった場合には、前記所定条件を満たすと判断する一方、前記空送り原稿の前記原稿情報で示される前記レベルと前記順番同一原稿の前記原稿情報で示される前記レベルとが異なっていた場合には、前記所定条件を満たさないと判断し、
前記制御部は、前記空送り原稿の前記原稿情報で示される前記レベルと前記順番同一原稿の前記原稿情報で示される前記レベルとが異なるとき、前記空送り原稿の前記原稿情報で示される前記レベルと前記順番同一原稿の前記原稿情報で示される前記レベルとのレベル値の差が前記所定値を超えていれば、前記空送り原稿と前記順番同一原稿とが異なると判定することを特徴とする請求項３に記載の画像読取装置。
【請求項６】
前記原稿搬送ユニットには、前記原稿搬送路の前記検知位置よりも原稿搬送方向下流側のレジスト位置に配置され、前記レジスト位置に先端が到達した原稿の進行を一旦停止させてから原稿の搬送を開始する搬送部材が設けられており、
前記制御部は、前記原稿搬送路に給紙された各原稿について、前記レジスト位置に原稿の先端が到達したときに１回目の前記出力検知を行うとともに、前記搬送部材による原稿の搬送開始から所定時間が経過したときに２回目の前記出力検知を行い、前記１回目の出力検知時の前記メディアセンサーの出力値および前記２回目の出力検知時の前記メディアセンサーの出力値に基づき、前記レベル情報で示される前記複数のレベルのうち前記原稿情報として前記記憶部に記憶するレベルを決定することを特徴とする請求項１〜５のいずれか１項に記載の画像読取装置。
【請求項７】
前記原稿搬送ユニットには、前記原稿搬送路の前記検知位置よりも原稿搬送方向下流側のレジスト位置に配置され、前記レジスト位置に先端が到達した原稿の進行を一旦停止させてから原稿の搬送を開始する搬送部材が設けられており、
前記制御部は、前記原稿搬送路に給紙された各原稿について、前記レジスト位置に原稿の先端が到達したときに１回目の前記出力検知を行うとともに、前記搬送部材による原稿の搬送開始から所定時間が経過したときに２回目の前記出力検知を行い、前記レベル情報で示される前記複数のレベルのうち前記１回目の出力検知時の前記メディアセンサーの出力値に対応するレベルである第１レベルおよび前記複数のレベルのうち前記２回目の出力検知時の前記メディアセンサーの出力値に対応するレベルである第２レベルをそれぞれ前記原稿情報として前記記憶部に記憶し、
前記制御部は、前記空送り原稿の前記原稿情報で示される前記第１レベルと前記順番同一原稿の前記原稿情報で示される前記第１レベルとを比較する第１処理および前記空送り原稿の前記原稿情報で示される前記第２レベルと前記順番同一原稿の前記原稿情報で示される前記第２レベルとを比較する第２処理を前記原稿判定処理として行い、
前記制御部は、前記空送り原稿の前記原稿情報で示される前記第１レベルと前記順番同一原稿の前記原稿情報で示される前記第１レベルとが同じであるとき、前記空送り原稿の前記原稿情報で示される前記第２レベルと前記順番同一原稿の前記原稿情報で示される前記第２レベルとのレベル値の差が所定値以下であれば、前記空送り原稿と前記順番同一原稿とが同じと判定する一方、前記空送り原稿の前記原稿情報で示される前記第２レベルと前記順番同一原稿の前記原稿情報で示される前記第２レベルとのレベル値の差が前記所定値を超えていれば、前記空送り原稿と前記順番同一原稿とが異なると判定し、
前記制御部は、前記空送り原稿の前記原稿情報で示される前記第１レベルと前記順番同一原稿の前記原稿情報で示される前記第１レベルとが異なるとき、前記空送り原稿の前記原稿情報で示される前記第１レベルと前記順番同一原稿の前記原稿情報で示される前記第１レベルとのレベル値の差が前記所定値以下であり、かつ、前記空送り原稿の前記原稿情報で示される前記第２レベルと前記順番同一原稿の前記原稿情報で示される前記第２レベルとが同じであれば、前記空送り原稿と前記順番同一原稿とが同じと判定する一方、前記空送り原稿の前記原稿情報で示される前記第２レベルと前記順番同一原稿の前記原稿情報で示される前記第２レベルとが異なれば、前記空送り原稿と前記順番同一原稿とが異なると判定することを特徴とする請求項２に記載の画像読取装置。
【請求項８】
請求項１〜７のいずれか１項に記載の画像読取装置を備えた画像形成装置。
【発明の詳細な説明】
【技術分野】
【０００１】
本発明は、原稿を読み取る画像読取装置および画像形成装置に関する。
【背景技術】
【０００２】
従来、原稿を搬送し、搬送中の原稿を読み取る搬送読取の実行が可能な画像読取装置が知られている。このような画像読取装置は、原稿セットトレイにセットされた原稿を原稿搬送路に給紙して搬送する原稿搬送ユニットを備える（たとえば、特許文献１参照）。
【０００３】
特許文献１の画像読取装置は、搬送読取を伴うジョブ（コピージョブ）の実行中に原稿のジャムが発生すると、ジャムが発生した旨を操作パネルに報知させる。このとき、操作パネルは、全原稿を再セットするようユーザーに促す旨のメッセージを表示する。
【０００４】
そして、特許文献１の画像読取装置は、ジャムの発生によって中断したジョブを再開するとき、まず、ジョブ開始からジョブ中断までに読み取った原稿の枚数（リカバリー枚数）と同数の原稿を読み取らずに空送りする。そして、リカバリー枚数分の原稿の空送りが終了すると、次に原稿搬送路に給紙する原稿から読み取りを行う。
【先行技術文献】
【特許文献】
【０００５】
【特許文献１】特開２０００−９８８２１号公報
【発明の概要】
【発明が解決しようとする課題】
【０００６】
特許文献１の構成では、ジャムの発生によって中断したジョブを再開するとき、原稿搬送路への給紙枚数がリカバリー枚数に達するまで、原稿の空送りが行われる。このため、ジャム発生前のジョブ開始時点とジャム発生後のジョブ再開時点とで原稿の積層順が同じになるように、原稿セットトレイに原稿を再セットする必要がある。
【０００７】
しかし、ユーザーによっては、原稿セットトレイに原稿を再セットするときに、原稿の積層順を間違える場合がある。仮に、ジャム発生前のジョブ開始時点とジャム発生後のジョブ再開時点とで原稿の積層順が異なると、給紙枚数がリカバリー枚数に達する前に未読取原稿が給紙されたり、給紙枚数がリカバリー枚数に達した後に読取済原稿が給紙されたりする。その結果、読み取りミスが発生するという不都合が生じる。
【０００８】
具体的には、給紙枚数がリカバリー枚数に達する前に未読取原稿が給紙されると、その未読取原稿は空送りされるので、未読取原稿の読み取りが行われないという不都合が生じる。また、給紙枚数がリカバリー枚数に達した後に読取済原稿が給紙されると、読取済原稿の読み取り（不要な読み取り）が再度行われるという不都合が生じる。
【０００９】
本発明は、上記課題を解決するためになされたものであり、読み取りミスが発生するのを抑制することが可能な画像読取装置および画像形成装置を提供することを目的とする。
【課題を解決するための手段】
【００１０】
上記目的を達成するために、本発明の画像読取装置は、原稿セットトレイにセットされた原稿を原稿搬送路に給紙して搬送する原稿搬送ユニットを含み、原稿搬送路に沿って搬送されている原稿を読み取る搬送読取処理を行う画像読取部と、搬送読取処理を伴うジョブの実行指示をユーザーから受け付けるとともに、ユーザーに対して報知を行う操作表示部と、情報を記憶する記憶部と、ジョブの実行中にジャムが発生したとき、ジョブを中断し、ジョブを中断したときに原稿搬送路に沿って搬送されていた原稿よりも前に原稿搬送路に給紙された原稿の枚数をリカバリー枚数として記憶部に記憶するとともに、原稿セットトレイにセットしていた全原稿を同じ順番で再セットするよう促すための報知を操作表示部に行わせ、その後、中断したジョブの実行指示を操作表示部が受け付けると、原稿搬送路への原稿の給紙枚数がリカバリー枚数に達するまで、原稿搬送路に給紙した原稿を読み取らずに空送りする空送り処理を画像読取部に行わせてから、搬送読取処理を画像読取部に行わせる制御部と、原稿搬送路の予め定められた位置を検知位置とするメディアセンサーと、を備える。制御部は、原稿搬送路に給紙される各原稿について、検知位置を原稿が通過するときにメディアセンサーから出力される出力値を検知する出力検知を行い、出力検知の結果に基づき得られる原稿情報に原稿の給紙順を付加して記憶部に記憶する。そして、制御部は、画像読取部に空送り処理を行わせているとき、空送り処理によって空送りされている空送り原稿の原稿情報およびジョブの中断前に空送り原稿と同じ給紙順で原稿搬送路に給紙された順番同一原稿の原稿情報に基づき、空送り原稿と順番同一原稿とが同じであるか否かを判定する原稿判定処理を行い、空送り原稿と順番同一原稿とが同じと判定したときには、空送り処理を続行させる一方、空送り原稿と順番同一原稿とが異なると判定したときには、空送り処理を停止させ、操作表示部に警告を報知させる。
【００１１】
本発明の構成では、空送り原稿と順番同一原稿とが同じと制御部が判定した場合、空送り処理が続行される。ここで、空送り原稿と順番同一原稿とが同じということは、空送り原稿は読取済原稿であるということである。したがって、空送り原稿と順番同一原稿とが同じ場合に空送り処理を続行するよう構成すると、読取済原稿の読み取りが再度行われるという読み取りミスが生じるのを抑制することができる。
【００１２】
一方で、空送り原稿と順番同一原稿とが異なると制御部が判定した場合、空送り処理が停止される。ここで、空送り原稿と順番同一原稿とが異なるということは、未読取原稿が空送りされている可能性があるということである。さらに、この場合には、給紙枚数がリカバリー枚数に達した後、読取済原稿が給紙される可能性がある。すなわち、読取済原稿の読み取り（不要な読み取り）が再度行われる可能性がある。したがって、空送り原稿と順番同一原稿とが異なる場合に空送り処理を停止するよう構成すると、未読取原稿の読み取りが行われないという読み取りミスや、読取済原稿の読み取りが再度行われるという読み取りミスが生じるのを抑制することができる。
【００１３】
また、空送り原稿と順番同一原稿とが異なると制御部が判定した場合には、操作表示部を介して警告が報知される。これにより、ジャム発生前のジョブ開始時点とジャム発生後のジョブ再開時点とで原稿の積層順が異なっている（ユーザーが原稿の積層順を間違えている）ことをユーザーに認識させることができる。
【発明の効果】
【００１４】
本発明の構成では、読み取りミスが発生するのを抑制することができる。
【図面の簡単な説明】
【００１５】
【図１】本発明の一実施形態による複合機の全体構成を示す図
【図２】本発明の一実施形態による複合機の画像読取部の構成を示す図
【図３】本発明の一実施形態による複合機のハードウェア構成を示す図
【図４】本発明の一実施形態による複合機の操作パネルに表示される報知画面を示す図
【図５】本発明の一実施形態による複合機にて行われるメディアセンサーの出力検知の流れを説明するためのフローチャート
【図６】本発明の一実施形態による複合機にて行われるメディアセンサーの出力検知の検知タイミングを説明するための図
【図７】本発明の一実施形態による複合機にて行われる第１原稿判定処理の流れを説明するためのフローチャート
【図８】本発明の一実施形態による複合機の操作パネルに表示される警告画面を示す図
【図９】本発明の一実施形態による複合機にて行われる第２原稿判定処理の流れを説明するためのフローチャート
【図１０】本発明の一実施形態による複合機にて行われる第３原稿判定処理の流れを説明するためのフローチャート
【発明を実施するための形態】
【００１６】
＜複合機の全体構成＞
図１に示すように、本実施形態の複合機１００は、印刷部１０および画像読取部２０を備える。
【００１７】
印刷部１０は、用紙搬送路（図１では、破線で示す）に沿って用紙を搬送し、印刷すべき画像の画像データに基づきトナー像を形成する。そして、印刷部１０は、搬送中の用紙にトナー像を印刷（転写）する。なお、印刷部１０は、用紙カセットに収容された用紙を用紙搬送路に給紙する給紙部１１、トナー像を形成して用紙に転写する画像形成部１２、および、用紙に転写されたトナー像を用紙に定着させる定着部１３などで構成される。
【００１８】
画像読取部２０は、図２に示すように、ランプ２１やイメージセンサー２２を含み、原稿Ｄを光学的に読み取る。たとえば、画像読取部２０は、コンタクトガラスＧ１上に載置された原稿Ｄを読み取る載置読取を実行する。
【００１９】
また、画像読取部２０は、原稿搬送ユニット３０を含む。そして、画像読取部２０は、載置読取だけでなく、原稿搬送ユニット３０によって自動搬送される原稿Ｄを読み取る搬送読取の実行も可能である。搬送読取では、原稿搬送ユニット３０にセットされた原稿ＤがコンタクトガラスＧ２上に搬送され、搬送中の原稿ＤがコンタクトガラスＧ２上の所定位置（以下の説明では、原稿読取位置ＤＲＰと称する）を通過するとき、画像読取部２０による原稿Ｄの読み取りが行われる。
【００２０】
原稿搬送ユニット３０は、原稿Ｄを搬送するための原稿搬送路３１、読取前の原稿Ｄ（原稿束を含む）がセットされる原稿セットトレイ３２、および、読取後の原稿Ｄが排出される原稿排出トレイ３３を含む。原稿搬送路３１は、原稿セットトレイ３２から、原稿読取位置ＤＲＰを経由し、原稿排出トレイ３３に至る。
【００２１】
また、原稿搬送ユニット３０には、給紙機構３４が設けられる。給紙機構３４は、原稿セットトレイ３２から原稿搬送路３１への原稿Ｄの供給口（原稿搬送路３１の原稿搬送方向の最上流側）に配置される。そして、給紙機構３４は、搬送読取の実行時に、原稿セットトレイ３２にセットされた原稿Ｄを原稿搬送路３１に給紙する。
【００２２】
給紙機構３４は、ピックアップローラー３４１および給紙ローラー３４２を含む。ピックアップローラー３４１は、原稿セットトレイ３２の原稿セット面（原稿Ｄが載置される面）の上方において、上下方向に移動可能に支持される。搬送読取の実行時には、ピックアップローラー３４１が回転する。また、原稿セットトレイ３２にセットされた原稿Ｄにピックアップローラー３４１が当接するまで、ピックアップローラー３４１が下方に移動する。これにより、原稿セットトレイ３２にセットされた原稿Ｄが原稿セットトレイ３２から引き出される。
【００２３】
給紙ローラー３４２は、ピックアップローラー３４１の設置位置よりも原稿搬送方向下流側の予め定められた給紙位置ＦＰに配置される。給紙ローラー３４２は、給紙ローラー３４２の下方に配置されたフリクションパッド３４３との間で給紙ニップを形成する。そして、給紙ローラー３４２は、搬送読取の実行時に回転し、給紙ニップに進入した原稿Ｄ（原稿セットトレイ３２から引き出された原稿Ｄ）を原稿搬送方向の上流側から下流側に搬送する。これにより、原稿搬送路３１に原稿Ｄが給紙される。
【００２４】
また、原稿搬送ユニット３０には、複数の搬送ローラー対３５が設けられる。複数の搬送ローラー対３５は、原稿搬送路３１に沿って配置され、搬送読取の実行時に回転し、原稿搬送路３１に給紙された原稿Ｄを原稿搬送路３１に沿って搬送する。原稿搬送路３１に沿って搬送される原稿Ｄは原稿読取位置ＤＲＰを通過し、このときに画像読取部２０による原稿Ｄの表面（原稿セットトレイ３２にセットした原稿Ｄの上下面のうち上面）の読み取りが行われる。そして、原稿読取位置ＤＲＰを通過した原稿Ｄは最終的に原稿排出トレイ３３に排出される。
【００２５】
複数の搬送ローラー対３５のうち原稿搬送路３１に給紙された原稿Ｄが最初に到達する搬送ローラー対３５は、レジストローラー対３６である。レジストローラー対３６は、後述するメディアセンサー３０３の検知位置ＤＰよりも原稿搬送方向下流側の予め定められた位置ＲＰ（以下の説明では、レジスト位置ＲＰと称する）に配置される。なお、レジストローラー対３６は「搬送部材」に相当する
【００２６】
レジストローラー対３６は、レジスト位置ＲＰに先端が到達した原稿Ｄの進行を一旦停止させる。すなわち、レジストローラー対３６は、レジスト位置ＲＰに原稿Ｄの先端が到達したときには回転を停止している。そして、レジストローラー対３６は、原稿Ｄの進行を一旦停止させてから原稿Ｄの搬送を開始する（回転を開始する）。
【００２７】
なお、原稿搬送ユニット３０には、ＣＩＳユニット２００が設けられる。ＣＩＳユニット２００は、原稿搬送路３１のうちレジスト位置ＲＰよりも原稿搬送方向下流側の予め定められた位置において、原稿Ｄの裏面（原稿セットトレイ３２にセットした原稿Ｄの上下面のうち下面）の読み取りを行う。これにより、原稿Ｄの両面の読み取りを同時に行うことができる。
【００２８】
図１に戻って、複合機１００は、操作パネル４０を備える。操作パネル４０は、画面を表示するとともに、ユーザーから操作を受け付ける。また、操作パネル４０は、ユーザーに対する報知を行う（たとえば、報知を行うための画面を表示する）。なお、操作パネル４０は「操作表示部」に相当する。
【００２９】
操作パネル４０は、タッチパネルディスプレイ４１やハードウェアキー４２を含む。タッチパネルディスプレイ４１は、ソフトウェアキーなどを配した画面を表示し、画面に対する操作をユーザーから受け付ける。ハードウェアキー４２は複数設けられる。操作パネル４０に設けられるハードウェアキー４２としては、一例を挙げると、原稿Ｄの読み取りを伴うジョブ（コピージョブなど）の実行指示をユーザーから受け付けるためのスタートキーや、ジョブのキャンセル指示をユーザーから受け付けるためのキャンセルキーなどがある。
【００３０】
また、図３に示すように、複合機１００は、制御部１１０、記憶部１２０および通信部１３０を備える。制御部１１０は、ＣＰＵ１１１、メモリー１１２および画像処理モジュール１１３を含む。ＣＰＵ１１１は、複合機１００を制御するための処理を実行する。メモリー１１２は、ＣＰＵ１１１を動作させるための制御用プログラムを記憶する。画像処理モジュール１１３は、画像データ（画像読取部２０による原稿Ｄの読み取りによって得られた原稿Ｄの画像データなど）に対して画像処理を行う。
【００３１】
制御部１１０は、印刷部１０と接続され、印刷部１０のジョブ実行時の印刷動作を制御する。また、制御部１１０は、画像読取部２０と接続され、画像読取部２０のジョブ実行時の画像読取動作を制御する。なお、制御部１１０は、載置読取の実行時には載置読取用の制御を行い、搬送読取の実行時には搬送読取用の制御を行う。搬送読取用の制御は、原稿搬送ユニット３０の原稿搬送動作の制御を含む。原稿搬送ユニット３０の原稿搬送動作の制御では、原稿セットトレイ３２にセットされた原稿Ｄのセット状態の検知や、原稿搬送路３１に沿って搬送される原稿Ｄの搬送状態の検知が必要となる。このため、制御部１１０には、セットセンサー３０１および搬送センサー３０２が接続される。
【００３２】
セットセンサー３０１は、原稿セットトレイ３２における原稿Ｄの有無に応じて出力値を変化させるセンサーである。このセットセンサー３０１の出力値に基づき、制御部１１０は、原稿セットトレイ３２に原稿Ｄがセットされているか否か（原稿セットトレイ３２に未読取原稿Ｄが残っているか否か）を判断する。
【００３３】
搬送センサー３０２は、原稿搬送路３１の予め定められた位置を検知位置とし、その検知位置における原稿Ｄの有無に応じて出力値を変化させるセンサーである。なお、搬送センサー３０２は複数設けられ、原稿搬送路３１の予め定められた複数の位置がそれぞれ搬送センサー３０２の検知位置とされる。そして、制御部１１０は、搬送センサー３０２の出力値に基づき、搬送センサー３０２の検知位置における原稿Ｄの先端到達や原稿Ｄの後端通過を検知する。当該検知した結果に基づき、制御部１１０は、原稿セットトレイ３２から原稿搬送路３１への原稿Ｄの給紙タイミングを計ったり、原稿搬送路３１に給紙された原稿Ｄが正常に搬送されているか否か（ジャムが発生したか否か）を判断したりする。
【００３４】
ここで、制御部１１０には、メディアセンサー３０３がさらに接続される。メディアセンサー３０３は、検知対象の原稿Ｄの紙質（紙厚や表面粗さなど）に応じて出力値を変化させるセンサーである。たとえば、メディアセンサー３０３として、検知対象の原稿Ｄに光を照射し、光を照射したときの反射率（あるいは、透過率）や反射光の波長などに応じた値を出力するセンサーが用いられる。なお、後に詳細に説明するが、制御部１１０は、メディアセンサー３０３の出力値に基づき原稿判定処理を行う。
【００３５】
メディアセンサー３０３は、原稿搬送路３１の給紙位置ＦＰとレジスト位置ＲＰとの間の予め定められた位置ＤＰを検知位置とする（図２参照）。そして、メディアセンサー３０３は、検知位置ＤＰを通過する原稿Ｄを検知対象とし、その検知対象の原稿Ｄの紙質に応じて出力値を変化させる。
【００３６】
また、或る原稿Ｄ（ここでは、第１原稿Ｄとする）のうち画像が存在する部分をメディアセンサー３０３で検知した場合と、別の原稿Ｄ（ここでは、第２原稿Ｄとする）のうち画像が存在しない部分をメディアセンサー３０３で検知した場合とでは、第１原稿Ｄおよび第２原稿Ｄの各紙質が互いに同じであっても、メディアセンサー３０３の出力値は互いに異なる値となる。さらに、この例において、第２原稿Ｄのうち画像が存在する部分をメディアセンサー３０３で検知した場合であっても、第１原稿Ｄの検知部分（メディアセンサー３０３で検知した部分）の画像および第２原稿Ｄの検知部分の画像の各濃度や色が互いに異なっていれば、メディアセンサー３０３の出力値は互いに異なる値となる。
【００３７】
なお、メディアセンサー３０３の出力値は、検知位置ＤＰに原稿Ｄが有るときと無いときとで差が生じる。したがって、メディアセンサー３０３の出力値に基づき、検知位置ＤＰにおける原稿Ｄの有無を検知することができる。これにより、原稿搬送路３１の給紙位置ＦＰとレジスト位置ＲＰとの間の位置における原稿Ｄの有無を検知するための給紙センサー（原稿搬送路３１に原稿Ｄが給紙されたか否かを検知するためのセンサー）を設けなくても、原稿搬送路３１に原稿Ｄが給紙されたか否かの検知が可能となる。このため、給紙センサーは省略される。
【００３８】
また、制御部１１０は、操作パネル４０と接続される。そして、制御部１１０は、タッチパネルディスプレイ４１の表示動作を制御する。さらに、制御部１１０は、タッチパネルディスプレイ７１（ソフトウェアキー）に対するタッチ操作やハードウェアキー４２に対する押下操作を検知する。
【００３９】
記憶部１２０は、ＲＯＭ（ＥＥＰＲＯＭなど）やＨＤＤなどの不揮発性の記憶デバイスを含む。制御部１１０は、記憶部１２０に接続され、記憶部１２０からの情報の読み出しや記憶部１２０への情報の書き込みを行う。たとえば、記憶部１２０には、画像読取部２０による原稿Ｄの読み取りによって得られた原稿Ｄの画像データが記憶される。
【００４０】
通信部１３０は、通信回路やメモリー、通信用コネクターを含む。制御部１１０は、通信部１３０に接続され、通信部１３０を介して、外部機器３００と通信する。たとえば、複合機１００には、パーソナルコンピューター、携帯情報端末（スマートフォンやタブレット端末など）、および、ファクシミリ装置などが通信可能に接続される。複合機１００に外部機器３００を通信可能に接続すると、複合機１００（画像読取部２０）で読み取った原稿Ｄの画像データを外部機器３００に送信する送信ジョブを実行することができる。
【００４１】
＜搬送読取処理および空送り処理＞
制御部１１０は、セットセンサー３０１の出力値に基づき原稿セットトレイ３２に原稿Ｄがセットされたことを検知した後、原稿セットトレイ３２に原稿Ｄがセットされた状態で、操作パネル４０のスタートキーに対する押下操作を検知したとき、搬送読取処理を伴うジョブの実行指示を操作パネル４０が受け付けたと判断し、ジョブを開始する。すなわち、制御部１１０は、画像読取部２０（原稿搬送ユニット３０）に搬送読取処理の開始指示を与え、画像読取部２０に搬送読取処理を行わせる。
【００４２】
搬送読取処理の開始指示を受けた画像読取部２０は、原稿セットトレイ３２にセットされた原稿Ｄを原稿搬送路３１に給紙するとともに、原稿搬送路３１に沿って原稿Ｄを搬送する。また、画像読取部２０は、原稿搬送路３１に沿って搬送される原稿Ｄが原稿読取位置ＤＲＰを通過するときに原稿Ｄを読み取る。
【００４３】
画像読取部２０に搬送読取処理を開始させて以降、制御部１１０は、原稿搬送路３１に給紙された原稿Ｄの枚数をカウントする。たとえば、制御部１１０は、給紙センサーとしてのメディアセンサー３０３の出力値に基づき原稿搬送路３１に原稿Ｄが給紙されたことを検知すると、給紙枚数をカウントアップする。なお、給紙枚数のカウント数は、ジョブが完了するとリセットされる。
【００４４】
また、画像読取部２０に搬送読取処理を開始させて以降、制御部１１０は、セットセンサー３０１の出力値に基づき、原稿セットトレイ３２に次原稿Ｄが有るか否かの検知を行う。そして、原稿セットトレイ３２に次原稿Ｄが有れば、制御部１１０は、画像読取部２０による搬送読取処理を続行させる。たとえば、制御部１１０は、原稿搬送路３１の原稿読取位置ＤＰＲよりも原稿搬送方向下流側の位置を検知位置とする搬送センサー３０２の出力値に基づき現在搬送中の原稿Ｄの後端通過を検知したとき、原稿搬送路３１に次原稿Ｄを給紙すべきタイミングになったとして、原稿搬送路３１への次原稿Ｄの給紙を画像読取部２０に行わせる（画像読取部２０に次原稿Ｄの読み取りを行わせる）。
【００４５】
ここで、制御部１１０は、搬送読取処理を伴うジョブの実行中、原稿搬送路３１において原稿Ｄのジャムが発生したか否かを検知するジャム検知を行う。たとえば、ジャム検知を行うとき、制御部１１０は、複数の搬送センサー３０２のうち或る搬送センサー３０２（ここでは第１センサーとする）の検知位置において原稿Ｄの先端到達を検知してから計時を開始する。そして、制御部１１０は、第１センサーの検知位置において原稿Ｄの先端到達を検知してから所定時間が経過したときに、第１センサーよりも原稿搬送方向下流側に存在する搬送センサー３０２（ここでは第２センサーとする）の検知位置に原稿Ｄの先端が到達したか否かを確認する。その結果、原稿Ｄの先端到達を確認できなければ、制御部１１０は、ジャムが発生したと判断する。この場合の所定時間は、第１センサーの検知位置と第２センサーの検知位置との間を原稿Ｄが進むのに要する時間であり、第１センサーの検知位置と第２センサーの検知位置との間の距離および原稿搬送速度に基づき算出することができる時間である。
【００４６】
あるいは、制御部１１０は、複数の搬送センサー３０２のうち或る搬送センサー３０２の検知位置において原稿Ｄの先端到達を検知してから、所定時間が経過しても同じ検知位置において原稿Ｄの後端通過を検知できなければ、ジャムが発生したと判断する。この場合の所定時間は、或る搬送センサー３０２の検知位置に原稿Ｄの先端が到達してから同じ検知位置を原稿Ｄの後端が通過するのに要する時間であり、原稿サイズ（搬送方向長さ）および原稿搬送速度に基づき算出することができる時間である。
【００４７】
搬送読取処理を伴うジョブの実行中にジャムが発生したとき、制御部１１０は、実行中のジョブを中断する。すなわち、制御部１１０は、画像読取部２０による搬送読取処理を停止させる。そして、制御部１１０は、ジョブを中断したときに原稿搬送路３１に沿って搬送されていた原稿Ｄよりも前に原稿搬送路３１に給紙された原稿Ｄの枚数をリカバリー枚数として記憶部１２０に記憶する。なお、ジャム発生時の給紙枚数のカウント数がＮ枚であった場合には、リカバリー枚数はＮ−１枚となる。たとえば、５枚目（＝Ｎ）の読取時にジャムが発生した場合には、リカバリー枚数は４枚（＝Ｎ−１）となる。すなわち、リカバリー枚数は、ジャム発生前に読み取りが完了した読取済原稿Ｄの枚数である。
【００４８】
また、搬送読取処理を伴うジョブの実行中にジャムが発生したとき（実行中のジョブを中断したとき）、制御部１１０は、原稿搬送路３１において原稿Ｄのジャムが発生した旨の報知を操作パネル４０に行わせる。このとき、操作パネル４０は、図４に示すような報知画面４１０を表示する。
【００４９】
たとえば、報知画面４１０には、ジャム原稿Ｄを取り除く第１作業をユーザーに促すためのメッセージ４１１が表示される。また、報知画面４１０には、原稿セットトレイ３２にセットしていた全原稿Ｄを同じ順番で再セットする第２作業をユーザーに促すためのメッセージ４１２が表示される。なお、第２作業をユーザーが行うことによって、ジャム原稿Ｄ、原稿排出トレイ３３に排出されている読取済原稿Ｄ、および、原稿セットトレイ３２に残っている未読取原稿Ｄの全原稿Ｄがジャム発生前のジョブ開始時点と同じ順番で原稿セットトレイ３２に再セットされる。さらに、報知画面４１０には、第１作業および第２作業の後、操作パネル４０のスタートキーに対する押下操作を行うようユーザーに促すためのメッセージ４１３が表示される。
【００５０】
制御部１１０は、報知画面４１０の表示後、操作パネル４０のスタートキーに対する押下操作が行われたか否かの検知を行う。そして、制御部１１０は、スタートキーに対する押下操作を検知したとき、中断したジョブの実行指示を操作パネル４０が受け付けたと判断する。この場合、制御部１１０は、読取済原稿Ｄの画像データを消去せずに記憶部１２０に保持しておく。
【００５１】
なお、制御部１１０は、報知画面４１０の表示後、操作パネル４０のスタートキーに対する押下操作を検知することなく、操作パネル４０のキャンセルキーに対する押下操作を検知したとき、中断したジョブのキャンセル指示を操作パネル４０が受け付けたと判断して、中断したジョブをキャンセルする。この場合、制御部１１０は、読取済原稿Ｄの画像データを記憶部１２０から消去する。
【００５２】
制御部１１０は、中断したジョブを再開するとき、給紙枚数のカウント数をリセットする。すなわち、制御部１１０は、給紙枚数を最初からカウントする。そして、制御部１１０は、搬送読取処理ではなく、空送り処理を画像読取部２０に行わせる。画像読取部２０は、空送り処理として、原稿搬送路３１への原稿Ｄの給紙枚数がリカバリー枚数に達するまで、原稿搬送路３１に給紙した原稿Ｄを読み取らずに原稿搬送路３１に沿って搬送（空送り）する処理を行う。
【００５３】
そして、制御部１１０は、原稿搬送路３１への原稿Ｄの給紙枚数がリカバリー枚数に達してから、画像読取部２０に搬送読取処理を行わせる。すなわち、画像読取部２０は、原稿搬送路３１にリカバリー枚数分の原稿Ｄを給紙した後、原稿搬送路３１への次原稿Ｄの給紙時から搬送読取処理を行う。これにより、ジョブ中断時（ジャム発生時）にユーザーに報知した第２作業が間違いなく行われていれば、読取済原稿Ｄの読み取り（不要な読み取り）が再度行われることはない。
【００５４】
＜原稿判定処理＞
制御部１１０は、搬送読取処理を伴うジョブの実行中にジャムが発生すると、実行中のジョブを中断する。そして、制御部１１０は、原稿セットトレイ３２にセットしていた全原稿Ｄを同じ順番で再セットする第２作業をユーザーに促すための報知を操作パネル４０に行わせる。しかし、ジョブ中断時（ジャム発生時）にユーザーに報知した第２作業が間違いなく行われているとは限らない。
【００５５】
たとえば、ジャム発生前のジョブ開始時点とジャム発生後のジョブ再開時点とで、原稿セットトレイ３２にセットされた原稿Ｄの積層順が異なっていた場合には、読取済原稿Ｄの読み取りが再度行われる（空送り処理の終了後に読取済原稿Ｄが給紙される）という不都合や、未読取原稿Ｄの読み取りが行われない（空送り処理の実行中に未読取原稿Ｄが給紙される）という不都合が生じ得る。また、ジャム発生後のジョブ再開時点で原稿セットトレイ３２にセットされた原稿束の中に、ジャム発生前のジョブ開始時点では原稿セットトレイ３２にセットされていなかった原稿Ｄが混入していた場合にも、同様の不都合が生じ得る。
【００５６】
そこで、制御部１１０は、画像読取部２０に空送り処理を行わせているとき、空送り処理によって現在空送りされている原稿Ｄである空送り原稿Ｄと、ジョブ中断前（ジャム発生前）に現在空送りされている空送り原稿Ｄと同じ給紙順で原稿搬送路３１に給紙された原稿Ｄである順番同一原稿Ｄとが同じであるか否かを判定する原稿判定処理を行う。この原稿判定処理を行うため、制御部１１０は、搬送読取処理を伴うジョブの実行中、原稿搬送路３１に給紙された各原稿Ｄについて、検知位置ＤＰを原稿Ｄが通過するときにメディアセンサー３０３から出力される出力値を検知する出力検知を行う。
【００５７】
以下に、図５に示すフローチャートを参照し、制御部１１０により行われるメディアセンサー３０３の出力検知について説明する。図５に示すフローチャートは、搬送読取処理を伴うジョブの実行指示を操作パネル４０が受け付けたときにスタートする。
【００５８】
ステップＳ１において、制御部１１０は、画像読取部２０（原稿搬送ユニット３０）による搬送読取処理を開始させる。続いて、ステップＳ２において、制御部１１０は、メディアセンサー３０３の出力検知を行う。
【００５９】
ここで、制御部１１０は、メディアセンサー３０３の出力検知を１枚の原稿Ｄに対して２回行う。具体的には、図６に示すように、制御部１１０は、原稿搬送路３１に給紙された原稿Ｄの先端がレジスト位置ＲＰに到達したとき、１回目の出力検知を行う。その後、制御部１１０は、レジストローラー対３６による原稿Ｄの搬送開始（２次給紙の開始）から所定時間が経過したとき、２回目の出力検知を行う。なお、メディアセンサー３０３の出力検知の回数が１枚の原稿Ｄに対して１回だけでもよいし、３回以上行われてもよい。
【００６０】
このように、メディアセンサー３０３の出力検知を１枚の原稿Ｄに対して２回ずつ行うようにすると、メディアセンサー３０３の出力検知の結果に基づき行われる原稿判定処理の精度を向上させることができる。また、原稿Ｄの先端がレジスト位置ＲＰに到達したときに１回目の出力検知を行うようにすると、給紙開始時点における各原稿Ｄの先端位置がばらついていても、各原稿Ｄに対する１回目の出力検知の検知位置がずれるのを抑制することができる。なお、２次給紙の開始時点では、各原稿Ｄの先端はレジスト位置ＲＰに在る。したがって、２次給紙の開始から所定時間が経過したときに２回目の出力検知を行うようにすると、各原稿Ｄに対する２回目の出力検知の検知位置がずれるのも抑制することができる。
【００６１】
メディアセンサー３０３の出力検知後、制御部１１０は、メディアセンサー３０３の出力検知の結果に基づき得られる原稿情報に原稿Ｄの給紙順を付加して記憶部１２０に記憶する。このとき、制御部１１０は、１回目の出力検知時のメディアセンサー３０３の出力値および２回目の出力検知時のメディアセンサー３０３の出力値に基づき、レベル情報で示される複数のレベルのうち原稿情報として記憶部１２０に記憶するレベルを決定する。ここで、レベル情報は、予め定めた複数のレベル（レベル値を１レベルずつ段階的に異ならせた複数のレベル）のうちから出力検知時のメディアセンサー３０３の出力値に対応するレベルを特定するための情報であり、複数のレベルにそれぞれ対応するメディアセンサー３０３の出力値の出力範囲を予め定めた情報である。なお、レベル情報は、予め記憶部１２０に記憶される。
【００６２】
レベル情報では、レベル１、レベル２、レベル３およびレベル４の４段階のレベルにそれぞれ対応するメディアセンサー３０３の出力値の出力範囲が定義される。なお、レベル１のレベル値は「１」であり、レベル２のレベル値は「２」であり、レベル３のレベル値は「３」であり、レベル４のレベル値は「４」である。また、レベル１に対応付けられたメディアセンサー３０３の出力値は他のレベルに対応付けられたメディアセンサー３０３の出力値よりも小さく、レベル４に対応付けられたメディアセンサー３０３の出力値は他のレベルに対応付けられたメディアセンサー３０３の出力値よりも大きい。また、レベル２に対応付けられたメディアセンサー３０３の出力値はレベル３に対応付けられたメディアセンサー３０３の出力値よりも小さい。
【００６３】
たとえば、制御部１１０は、１回目の出力検知時のメディアセンサー３０３の出力値と２回目の出力検知時のメディアセンサー３０３の出力値とを平均した平均値を求める。そして、制御部１１０は、レベル情報で示される複数のレベルのうち、平均値に対応するレベルのレベル値を原稿情報として記憶部１２０に記憶する。
【００６４】
なお、出力検知時のメディアセンサー３０３の出力値が予め定められた上限値を超えている場合や予め定められた下限値を下回っている場合には、メディアセンサー３０３の出力値が異常値であった（正常に検知できなかった）ということである。このため、１回目の出力検知および２回目の出力検知のうち一方の出力検知時のメディアセンサー３０３の出力値が上限値を超えている場合または下限値を下回っている場合、レベル情報で示される複数のレベルのうち、他方の出力検知時のメディアセンサー３０３の出力値に対応するレベルのレベル値を原稿情報として記憶部１２０に記憶してもよい。
【００６５】
図５に戻り、ステップＳ３において、制御部１１０は、次原稿Ｄが有るか否か（原稿セットトレイ３２に未読取原稿Ｄが残っているか否か）を判断する。その結果、次原稿Ｄが有ると制御部１１０が判断した場合には、ステップＳ４に移行し、次原稿Ｄが無いと制御部１１０が判断した場合には、本フローは終了する。
【００６６】
ステップＳ４に移行すると、制御部１１０は、画像読取部２０による搬送読取処理を続行させる。そして、ステップＳ２に移行する。これにより、原稿搬送路３１に次原稿Ｄが給紙され、次原稿Ｄが検知位置ＤＰを通過するときにメディアセンサー３０３の出力検知が行われる。
【００６７】
なお、搬送読取処理を伴うジョブの実行中にジャムが発生した場合、制御部１１０は、ジョブを中断する（画像読取部２０による搬送読取処理を停止させる）。この場合、制御部１１０は、ジョブ実行中に記憶部１２０に記憶した原稿情報をそのまま保持する。一方で、搬送読取処理を伴うジョブの開始から、ジャムが発生することなく、ジョブが完了した場合、制御部１００は、ジョブ実行中に記憶部１２０に記憶した原稿情報を消去する。
【００６８】
搬送読取処理を伴うジョブをジャムの発生によって中断し、操作パネル４０に報知画面４１０を表示させた後、キャンセルキーに対する押下操作を検知することなく、スタートキーに対応する押下操作を検知したとき、制御部１１０は、中断したジョブを再開する。そして、制御部１１０は、再開したジョブの実行中に、第１原稿判処理、第２原稿判定処理および第３原稿判定処理のうちいずれかを行う。なお、第１〜第３原稿判定処理のうちいずれを行うかの設定をユーザーから受け付けてもよい（当該設定の受け付けは操作パネル４０が行う）。
【００６９】
まず、図７に示すフローチャートを参照し、第１原稿判定処理について説明する。図７に示すフローチャートは、中断したジョブの実行指示を操作パネル４０が受け付けたときにスタートする。
【００７０】
ステップＳ１１において、制御部１１０は、画像読取部２０（原稿搬送ユニット３０）による空送り処理を開始させる。続いて、ステップＳ１２において、制御部１１０は、原稿搬送路３１に給紙された原稿Ｄ（現在空送りされている原稿Ｄ）である空送り原稿Ｄが検知位置ＤＰを通過するときにメディアセンサー３０３の出力検知を行う。
【００７１】
このとき、制御部１１０は、レジスト位置ＲＰに空送り原稿Ｄの先端が到達すると１回目のメディアセンサー３０３の出力検知を行い、レジストローラー対３６による空送り原稿Ｄの搬送開始から所定時間が経過すると２回目のメディアセンサー３０３の出力検知を行う。そして、制御部１１０は、１回目の出力検知時のメディアセンサー３０３の出力値および２回目の出力検知時のメディアセンサー３０３の出力値に基づき、レベル情報で示される複数のレベルのうち原稿情報として記憶部１２０に記憶するレベルを決定する。
【００７２】
その後、ステップＳ１３において、制御部１１０は、第１原稿判定処理を行う。すなわち、制御部１１０は、空送り処理によって現在空送りされている空送り原稿Ｄと、ジョブ中断前（ジャム発生前）に現在空送りされている空送り原稿Ｄと同じ給紙順で原稿搬送路３１に給紙された順番同一原稿Ｄとが同じ原稿Ｄであるか否かを判断する。
【００７３】
ここでの制御部１１０による原稿判定処理は、空送り原稿Ｄの原稿情報と順番同一原稿Ｄの原稿情報とに基づき行われる。具体的には、制御部１１０は、空送り原稿Ｄの原稿情報で示されるレベル（以下の説明では、空送り原稿Ｄのレベルと称する）と順番同一原稿Ｄの原稿情報で示されるレベル（以下の説明では、順番同一原稿Ｄのレベルと称する）とを比較する比較処理を原稿判定処理として行う。そして、制御部１１０は、空送り原稿Ｄのレベルと順番同一原稿Ｄのレベルとが同じであれば、空送り原稿Ｄと順番同一原稿Ｄとが同じ原稿Ｄであると判定する。一方で、制御部１１０は、空送り原稿Ｄのレベルと順番同一原稿Ｄのレベルとが異なっていれば、空送り原稿Ｄと順番同一原稿Ｄとが異なる原稿Ｄであると判定する。
【００７４】
ステップＳ１４において、空送り原稿Ｄのレベルと順番同一原稿Ｄのレベルとが同じである（空送り原稿Ｄと順番同一原稿Ｄとが同じ原稿Ｄである）と制御部１１０が判断した場合には、ステップＳ１５に移行する。ステップＳ１５に移行すると、制御部１１０は、原稿搬送路３１への原稿Ｄの給紙枚数がリカバリー枚数に達しているか否かを判断する。その結果、リカバリー枚数に達していると制御部１１０が判断した場合には、ステップＳ１６に移行し、リカバリー枚数に達していないと制御部１１０が判断した場合には、ステップＳ１７に移行する。
【００７５】
ステップＳ１６に移行した場合、制御部１１０は、次原稿Ｄの給紙タイミングに到達すると、画像読取部２０による空送り処理を終了させ、画像読取部２０による搬送読取処理を開始させる。すなわち、画像読取部２０は、次原稿Ｄからは搬送読取処理を行う。
【００７６】
ステップＳ１７に移行した場合、制御部１１０は、画像読取部２０による空送り処理を続行させる。その後、ステップＳ１２に移行する。
【００７７】
ステップＳ１４において、空送り原稿Ｄと順番同一原稿Ｄとが異なる原稿Ｄである（各レベルが異なる）と制御部１１０が判断した場合には、ステップＳ１８に移行する。ステップＳ１８に移行すると、制御部１１０は、画像読取部２０による空送り処理を停止させる。また、制御部１１０は、操作パネル４０に警告を報知させる。このとき、操作パネル４０は、図８に示すような警告画面４２０を表示する。たとえば、警告画面４２０には、原稿Ｄの順番が間違っている可能性がある旨や、原稿Ｄの順番の確認を促す旨のメッセージ４２１が表示される。
【００７８】
次に、図９に示すフローチャートを参照し、第２原稿判定処理について説明する。図９に示すフローチャートは、中断したジョブの実行指示を操作パネル４０が受け付けたときにスタートする。
【００７９】
ステップＳ２１において、制御部１１０は、画像読取部２０（原稿搬送ユニット３０）による空送り処理を開始させる。続いて、ステップＳ２２において、制御部１１０は、原稿搬送路３１に給紙された原稿Ｄ（現在空送りされている原稿Ｄ）である空送り原稿Ｄが検知位置ＤＰを通過するときにメディアセンサー３０３の出力検知を行う。ここで行われるメディアセンサー３０３の出力検知は、図７に示したフローチャートのステップＳ１２と同様である。
【００８０】
メディアセンサー３０３の出力検知後、ステップＳ２３において、制御部１１０は、第２原稿判定処理を行う。制御部１１０は、第２原稿判定処理として、空送り原稿Ｄのレベルと順番同一原稿Ｄのレベルとを比較する比較処理を行う。
【００８１】
ステップＳ２４において、空送り原稿Ｄのレベルと順番同一原稿Ｄのレベルとが同じであるか否かを判断する。このとき、制御部１１０は、空送り原稿Ｄおよび順番同一原稿Ｄの各レベルが同じであれば、空送り原稿Ｄと順番同一原稿Ｄとが同じ原稿Ｄであると判定する。なお、制御部１１０は、空送り原稿Ｄおよび順番同一原稿Ｄの各レベルが異なっていても、この時点では空送り原稿Ｄと順番同一原稿Ｄとが異なる原稿Ｄであるとは判定しない。
【００８２】
ステップＳ２４において、空送り原稿Ｄおよび順番同一原稿Ｄの各レベルが同じであると制御部１１０が判断した場合には、ステップＳ２５に移行する。ステップＳ２５に移行すると、制御部１１０は、原稿搬送路３１への原稿Ｄの給紙枚数がリカバリー枚数に到達しているか否かを判断する。その結果、リカバリー枚数に到達していると制御部１１０が判断した場合には、ステップＳ２６に移行し、リカバリー枚数に到達していないと制御部１１０が判断した場合には、ステップＳ２７に移行する。
【００８３】
ステップＳ２６に移行した場合、制御部１１０は、次原稿Ｄの給紙タイミングに到達すると、画像読取部２０による空送り処理を終了させ、画像読取部２０による搬送読取処理を開始させる（次原稿Ｄからは搬送読取処理を実行する）。ステップＳ２７に移行した場合、制御部１１０は、画像読取部２０による空送り処理を続行させる。その後、ステップ
Ｓ２２に移行する。
【００８４】
ステップＳ２４において、空送り原稿Ｄおよび順番同一原稿Ｄの各レベルが異なっていると制御部１１０が判断した場合には、ステップＳ２８に移行する。ステップＳ２８に移行すると、制御部１１０は、空送り原稿Ｄのレベルと順番同一原稿Ｄのレベルとのレベル値の差が所定値（たとえば「１」）以下であるか否かを判断する。その結果、レベル値の差が所定値を超えていれば、ステップＳ２９に移行し、レベル値の差が所定値以下であれば、ステップＳ３０に移行する。
【００８５】
たとえば、空送り原稿Ｄのレベルがレベル１であり、順番同一原稿Ｄのレベルがレベル３である場合には、レベル値の差は「２」となるので、レベル値の差は所定値を超える。なお、順番同一原稿Ｄのレベルがレベル４である場合にも、レベル値の差は所定値を超える。この場合には、ステップＳ２８からステップＳ２９に移行する。一方で、空送り原稿Ｄのレベルがレベル１であり、順番同一原稿Ｄのレベルがレベル２である場合には、レベル値の差は「１」となるので、レベル値の差が所定値以下となる。この場合には、ステップＳ２８からステップＳ３０に移行する。
【００８６】
ステップＳ２９に移行した場合、制御部１１０は、空送り原稿Ｄと順番同一原稿Ｄとが異なる原稿Ｄであると判定し、画像読取部２０による空送り処理を停止させる。また、制御部１１０は、図８に示した警告画面４２０を操作パネル４０に表示させる。すなわち、制御部１１０は、操作パネル４０に警告を報知させる。
【００８７】
ステップＳ３０に移行した場合、制御部１１０は、所定条件を満たしているか否かを判断する。なお、制御部１１０は、所定条件を満たしているとき、空送り原稿Ｄと順番同一原稿Ｄとが同じ原稿Ｄであると判定し、所定条件を満たしていないとき、空送り原稿Ｄと順番同一原稿Ｄとが異なる原稿Ｄであると判定する。したがって、所定条件を満たしていると制御部１１０が判断した場合には、ステップＳ２５に移行し、所定条件を満たさないと制御部１１０が判断した場合には、ステップＳ２９に移行する。
【００８８】
ここで、制御部１１０は、前回行った原稿判定処理（現在空送りされている空送り原稿Ｄよりも１枚前に原稿搬送路３１に給紙された空送り原稿Ｄを判定対象とした原稿判定処理）において、空送り原稿Ｄのレベルと順番同一原稿Ｄのレベルとが同じであった場合、所定条件を満たすと判断する。
【００８９】
一方で、制御部１１０は、前回行った原稿判定処理において、空送り原稿Ｄのレベルと順番同一原稿Ｄのレベルとが異なっていた場合（レベル値の差が所定値であった場合）、所定条件を満たさないと判断する。なお、前回行った原稿判定処理において、空送り原稿のレベルと順番同一原稿Ｄのレベルとのレベル値の差が所定値を超えていれば、その時点で画像読取部２０による空送り処理は停止される（操作パネル４０により警告が報知される）。
【００９０】
次に、図１０に示すフローチャートを参照し、第３原稿判定処理について説明する。図１０に示すフローチャートは、中断したジョブの実行指示を操作パネル４０が受け付けたときにスタートする。
【００９１】
なお、第３原稿判定処理が実行すべき原稿判定処理として設定されている場合、制御部１１０は、メディアセンサー３０３の出力検知を行うとき、レベル情報で示される複数のレベルのうち１回目の出力検知時のメディアセンサー３０３の出力値に対応するレベル（以下の説明では、第１レベルと称する）を特定する。また、制御部１１０は、レベル情報で示される複数のレベルのうち２回目の出力検知時のメディアセンサー３０３の出力値に対応するレベル（以下の説明では、第２レベルと称する）を特定する。そして、制御部１１０は、第１レベルおよび第２レベルの各レベル値を原稿情報として記憶部１２０に記憶する。
【００９２】
ステップＳ３１において、制御部１１０は、画像読取部２０（原稿搬送ユニット３０）による空送り処理を開始させる。続いて、ステップＳ３２において、制御部１１０は、原稿搬送路３１に給紙された原稿Ｄ（現在空送りされている原稿Ｄ）である空送り原稿Ｄが検知位置ＤＰを通過するときにメディアセンサー３０３の出力検知を行う。
【００９３】
メディアセンサー３０３の出力検知後、ステップＳ３３において、制御部１１０は、第３原稿判定処理を行う。このとき、制御部１１０は、空送り原稿Ｄの原稿情報で示される第１レベル（以下の説明では、空送り原稿Ｄの第１レベルと称する）と順番同一原稿Ｄの原稿情報で示される第１レベル（以下の説明では、順番同一原稿Ｄの第１レベルと称する）とを比較する第１処理を原稿判定処理として行う。さらに、制御部１１０は、空送り原稿Ｄの原稿情報で示される第２レベル（以下の説明では、空送り原稿Ｄの第２レベルと称する）と順番同一原稿Ｄの原稿情報で示される第２レベル（以下の説明では、順番同一原稿Ｄの第２レベルと称する）とを比較する第２処理を原稿判定処理として行う。
【００９４】
ステップＳ３４において、制御部１１０は、空送り原稿Ｄの第１レベルと順番同一原稿Ｄの第１レベルとが同じであるか否かを判断する。その結果、空送り原稿Ｄおよび順番同一原稿Ｄの各第１レベルが同じであると制御部１１０が判断した場合には、ステップＳ３５に移行する。
【００９５】
ステップＳ３５に移行すると、制御部１１０は、第１条件を満たしているか否かを判断する。なお、制御部１１０は、空送り原稿Ｄの第２レベルと順番同一原稿Ｄの第２レベルとのレベル値の差が所定値（たとえば「１」）以下であるとき、第１条件を満たしていると判断する。この場合、制御部１１０は、空送り原稿Ｄと順番同一原稿Ｄとが同じ原稿Ｄであると判定する。一方で、制御部１１０は、空送り原稿Ｄの第２レベルと順番同一原稿Ｄの第２レベルとのレベル値の差が所定値を超えるとき、第１条件を満たしていないと判断する。この場合、制御部１１０は、空送り原稿Ｄと順番同一原稿Ｄとが異なる原稿Ｄであると判定する。
【００９６】
ステップＳ３５において、第１条件を満たすと制御部１１０が判断した場合には、ステップＳ３６に移行する。ステップＳ３６に移行すると、制御部１１０は、原稿搬送路３１への原稿Ｄの給紙枚数がリカバリー枚数に到達しているか否かを判断する。その結果、リカバリー枚数に到達していると制御部１１０が判断した場合には、ステップＳ３７に移行し、リカバリー枚数に到達していないと制御部１１０が判断した場合には、ステップＳ３８に移行する。
【００９７】
ステップＳ３７に移行した場合、制御部１１０は、次原稿Ｄの給紙タイミングに到達すると、画像読取部２０による空送り処理を終了させ、画像読取部２０による搬送読取処理を開始させる（次原稿Ｄからは搬送読取処理を実行する）。ステップＳ３８に移行した場合、制御部１１０は、画像読取部２０による空送り処理を続行させる。その後、ステップ
Ｓ３２に移行する。
【００９８】
ステップＳ３５において、第１条件（空送り原稿Ｄと順番同一原稿Ｄとが同じ原稿Ｄであると判定する条件）を満たさないと制御部１１０が判断した場合には、ステップＳ３９に移行する。ステップＳ３９に移行すると、制御部１１０は、画像読取部２０による空送り処理を停止させる。また、制御部１１０は、図８に示した警告画面４２０を操作パネル４０に表示させる。すなわち、制御部１１０は、操作パネル４０に警告を報知させる。
【００９９】
ステップＳ３４において、空送り原稿Ｄおよび順番同一原稿Ｄの各第１レベルが異なっていると制御部１１０が判断した場合には、ステップＳ４０に移行する。ステップＳ４０に移行すると、制御部１１０は、第２条件を満たしているか否かを判断する。
【０１００】
なお、制御部１１０は、空送り原稿Ｄの第１レベルと順番同一原稿Ｄの第１レベルとのレベル値の差が所定値以下であり、かつ、空送り原稿Ｄの第２レベルと順番同一原稿Ｄの第２レベルとが同じであれば、第２条件を満たしていると判断する。この場合、制御部１１０は、空送り原稿Ｄと順番同一原稿Ｄとが同じ原稿Ｄであると判定する。このため、第２条件を満たしていると制御部１１０が判断した場合には、ステップＳ３６に移行する。
【０１０１】
一方で、制御部１１０は、空送り原稿Ｄの第２レベルと順番同一原稿Ｄの第２レベルとが異なっていれば、第２条件を満たしていないと判断する。この場合、制御部１１０は、空送り原稿Ｄと順番同一原稿Ｄとが異なる原稿Ｄであると判定する。このため、第２条件を満たしていないと制御部１１０が判断した場合には、ステップＳ３９に移行する。
【０１０２】
本実施形態の複合機１００（画像読取装置および画像形成装置）は、上記のように、原稿セットトレイ３２にセットされた原稿Ｄを原稿搬送路３１に給紙して搬送する原稿搬送ユニット３０を含み、原稿搬送路３１に沿って搬送されている原稿Ｄを読み取る搬送読取処理を行う画像読取部２０と、搬送読取処理を伴うジョブの実行指示をユーザーから受け付けるとともに、ユーザーに対して報知を行う操作パネル４０（操作表示部）と、情報を記憶する記憶部１２０と、ジョブの実行中にジャムが発生したとき、ジョブを中断し、ジョブを中断したときに原稿搬送路３１に沿って搬送されていた原稿Ｄよりも前に原稿搬送路３１に給紙された原稿Ｄの枚数をリカバリー枚数として記憶部１２０に記憶するとともに、原稿セットトレイ３２にセットしていた全原稿Ｄを同じ順番で再セットするよう促すための報知を操作パネル４０に行わせ、その後、中断したジョブの実行指示を操作パネル４０が受け付けると、原稿搬送路３１への原稿Ｄの給紙枚数がリカバリー枚数に達するまで、原稿搬送路３１に給紙した原稿Ｄを読み取らずに空送りする空送り処理を画像読取部２０に行わせてから、搬送読取処理を画像読取部２０に行わせる制御部１１０と、原稿搬送路３１の予め定められた位置ＤＰを検知位置とするメディアセンサー３０３と、を備える。制御部１１０は、原稿搬送路３１に給紙される各原稿Ｄについて、検知位置ＤＰを原稿Ｄが通過するときにメディアセンサー３０３から出力される出力値を検知する出力検知を行い、メディアセンサー３０３の出力検知の結果に基づき得られる原稿情報に原稿Ｄの給紙順を付加して記憶部１２０に記憶する。そして、制御部１１０は、画像読取部２０に空送り処理を行わせているとき、空送り処理によって空送りされている空送り原稿Ｄの原稿情報およびジョブの中断前に空送り原稿Ｄと同じ給紙順で原稿搬送路３１に給紙された順番同一原稿Ｄの原稿情報に基づき、空送り原稿Ｄと順番同一原稿Ｄとが同じであるか否かを判定する原稿判定処理を行い、空送り原稿Ｄと順番同一原稿Ｄとが同じと判定したときには、空送り処理を続行させる一方、空送り原稿Ｄと順番同一原稿Ｄとが異なると判定したときには、空送り処理を停止させ、操作表示部４０に警告を報知させる。
【０１０３】
本実施形態の構成では、空送り原稿Ｄと順番同一原稿Ｄとが同じと制御部１１０が判定した場合、空送り処理が続行される。空送り原稿Ｄと順番同一原稿Ｄとが同じということは、空送り原稿Ｄは読取済原稿Ｄであるということである。したがって、空送り原稿Ｄと順番同一原稿Ｄとが同じ場合に空送り処理を続行するよう構成すると、読取済原稿Ｄの読み取りが再度行われるという読み取りミスが生じるのを抑制することができる。
【０１０４】
一方で、空送り原稿Ｄと順番同一原稿Ｄとが異なると制御部１１０が判定した場合、空送り処理が停止される。空送り原稿Ｄと順番同一原稿Ｄとが異なるということは、未読取原稿Ｄが空送りされている可能性があるということである。さらに、この場合には、給紙枚数がリカバリー枚数に達した後、読取済原稿Ｄが給紙される可能性がある。すなわち、読取済原稿Ｄの読み取り（不要な読み取り）が再度行われる可能性がある。したがって、空送り原稿Ｄと順番同一原稿Ｄとが異なる場合に空送り処理を停止するよう構成すると、未読取原稿Ｄの読み取りが行われないという読み取りミスや、読取済原稿Ｄの読み取りが再度行われるという読み取りミスが生じるのを抑制することができる。
【０１０５】
また、空送り原稿Ｄと順番同一原稿Ｄとが異なると制御部１１０が判定した場合には、操作パネル４０を介して警告が報知される。これにより、ジャム発生前のジョブ開始時点とジャム発生後のジョブ再開時点とで原稿Ｄの積層順が異なっている（ユーザーが原稿Ｄの積層順を間違えている）ことをユーザーに認識させることができる。
【０１０６】
また、本実施形態では、上記のように、制御部１１０は、メディアセンサー３０３の出力検知を行うとき、レベル情報で示される複数のレベルのうち、出力検知時のメディアセンサーの出力値に対応するレベルを原稿情報として記憶する。そして、制御部１１０は、空送り原稿Ｄの原稿情報で示されるレベルと順番同一原稿Ｄの原稿情報で示されるレベルとを比較する比較処理を原稿判定処理として行う。このように構成すれば、空送り原稿Ｄと順番同一原稿Ｄとが同じ原稿Ｄであるにもかかわらず、出力検知時のメディアセンサー３０３の出力値に若干のずれが生じていることに起因して、空送り原稿Ｄと順番同一原稿Ｄとが異なる原稿Ｄであると判定されるのを抑制することができる。すなわち、メディアセンサー３０３の精度が低くても、原稿判定処理において誤判定が発生するのを抑制することができる。
【０１０７】
また、本実施形態では、原稿判定処理として、第１〜第３原稿判定処理のうちいずれかが行われる。
【０１０８】
第１原稿判定処理では、空送り原稿Ｄのレベルと順番同一原稿Ｄのレベルとが異なっているとき、直ちに、空送り原稿Ｄと順番同一原稿Ｄとが異なっていると判定される。これにより、速やかに、ジャム発生前のジョブ開始時点とジャム発生後のジョブ再開時点とで原稿Ｄの積層順が異なっている（ユーザーが原稿Ｄの積層順を間違えている）ことをユーザーに認識させることができる。
【０１０９】
ここで、前回の原稿判定処理において空送り原稿Ｄのレベルと順番同一原稿Ｄのレベルとが同じであり、今回の原稿判定処理において空送り原稿Ｄのレベルと順番同一原稿Ｄのレベルとのレベル値の差が１レベルであった場合には、今回の原稿判定処理ではメディアセンサー３０３の精度に起因してレベル値に差が生じた可能性がある（空送り原稿Ｄと順番同一原稿Ｄとが同じである可能性がある）。しかし、前回の原稿判定処理においても空送り原稿Ｄのレベルと順番同一原稿Ｄのレベルとの差が１レベルであった場合には、今回の原稿判定処理においてレベル値に差が生じた原因がメディアセンサー３０３の精度によるものではなく、ジャム発生前のジョブ開始時点とジャム発生後のジョブ再開時点とで原稿Ｄの積層順が異なっていた可能性が高い。
【０１１０】
このため、第２原稿判定処理では、空送り原稿Ｄのレベルと順番同一原稿Ｄのレベルとが異なっているとき、空送り原稿Ｄのレベルと順番同一原稿Ｄのレベルとのレベル値の差が所定値（１レベル）であれば、所定条件を満たすか否かの判断が行われる。そして、所定条件を満たす場合には、空送り原稿Ｄと順番同一原稿Ｄとが同じであると判定され、所定条件を満たさない場合には、空送り原稿Ｄと順番同一原稿Ｄとが異なっていると判定される。すなわち、今回の原稿判定処理において空送り原稿Ｄのレベルと順番同一原稿Ｄのレベルとのレベル値の差が所定値（１レベル）であった場合には、前回の原稿判定処理の結果も考慮される。これにより、誤判定が発生するのを抑制することができる。
【０１１１】
なお、第２原稿判定処理では、原稿判定処理の判定対象となる空送り原稿Ｄが最初に給紙された１枚目であり、最初の原稿判定処理において空送り原稿Ｄのレベルと順番同一原稿Ｄのレベルとのレベル値の差が１レベルであった場合には、メディアセンサー３０３の精度に起因してレベル値に差が生じたか否かを判断できない。
【０１１２】
そこで、第３原稿判定処理では、１枚の原稿Ｄに対して２回の原稿判定処理（第１処理と第２処理）が行われる。そして、第１処理および第２処理の各結果に基づき、空送り原稿Ｄと順番同一原稿Ｄとが同じであるか否かが判定される。これにより、最初に給紙された１枚目の空送り原稿Ｄに対する原稿判定処理において、メディアセンサー３０３の精度に起因する誤判定が発生するのを抑制することができる。
【０１１３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１１４】
２０  画像読取部
３０  原稿搬送ユニット
３１  原稿搬送路
３２  原稿セットトレイ
３６  レジストローラー対（搬送部材）
４０  操作パネル（操作表示部）
１００  複合機（画像読取装置、画像形成装置）
１１０  制御部
１２０  記憶部
３０３  メディアセンサー
ＤＰ  検知位置
ＲＰ  レジスト位置
【図１】
2018019173.tif 000003
【図２】
2018019173.tif 000004
【図３】
2018019173.tif 000005
【図４】
2018019173.tif 000006
【図５】
2018019173.tif 000007
【図６】
2018019173.tif 000008
【図７】
2018019173.tif 000009
【図８】
2018019173.tif 000010
【図９】
2018019173.tif 000011
【図１０】
2018019173.tif 000012